(57)【要約】【課題】帯電防止性の良好な発泡成形体を得ることができる予備発泡粒子を提供することを課題とする。【解決手段】ポリスチレン系樹脂とポリオレフィン系樹脂とを含む複合樹脂粒子に揮発性発泡剤を含浸させて発泡性複合樹脂粒子を単離した後、得られた発泡性複合樹脂粒子を、予備発泡前に、前記複合樹脂粒子１００重量部に対する使用量が０．１〜２重量部の溶液状又は液状の帯電防止剤と接触させることで、前記発泡性複合樹脂粒子に帯電防止剤を含浸させ、次いで、帯電防止剤の含浸後の発泡性複合樹脂粒子を予備発泡させて予備発泡粒子を得る工程を含むことを特徴とする予備発泡粒子の製造方法により上記課題を解決する。【選択図】なし【特許請求の範囲】
【請求項１】
ポリスチレン系樹脂とポリオレフィン系樹脂とを含む複合樹脂粒子に揮発性発泡剤を含浸させて発泡性複合樹脂粒子を単離した後、得られた発泡性複合樹脂粒子を、予備発泡前に、前記複合樹脂粒子１００重量部に対する使用量が０．１〜２重量部の溶液状又は液状の帯電防止剤と接触させることで、前記発泡性複合樹脂粒子に帯電防止剤を含浸させ、次いで、帯電防止剤の含浸後の発泡性複合樹脂粒子を予備発泡させて予備発泡粒子を得る工程を含むことを特徴とする予備発泡粒子の製造方法。
【請求項２】
前記発泡性複合樹脂粒子への帯電防止剤の含浸が、前記予備発泡に使用される容器中で、溶液状又は液状の帯電防止剤を前記発泡性複合樹脂粒子に噴霧するか、溶液状又は液状の帯電防止剤に前記発泡性複合樹脂粒子を浸漬することで行われる請求項１に記載の予備発泡粒子の製造方法。
【請求項３】
前記帯電防止剤が、非イオン性界面活性剤として使用される剤から選択される請求項１又は２に記載の予備発泡粒子の製造方法。
【請求項４】
前記帯電防止剤が、アルキルエタノールアミン又はアルキルポリエーテルアミンである請求項３に記載の予備発泡粒子の製造方法。
【請求項５】
前記帯電防止剤の含浸が、攪拌下、３０〜９０℃の雰囲気温度下で５〜９０秒間行われる請求項１〜４のいずれか１つに記載の予備発泡粒子の製造方法。
【請求項６】
前記揮発性発泡剤が、プロパン、ｎ−ブタン、イソブタン、ｎ−ペンタン、イソペンタン、シクロペンタンから選択される請求項１〜５のいずれか１つに記載の予備発泡粒子の製造方法。
【請求項７】
前記揮発性発泡剤が、前記複合樹脂粒子１００重量部に対して、１０〜３０重量部の割合で使用される請求項１〜６のいずれか１つに記載の予備発泡粒子の製造方法。
【請求項８】
前記複合樹脂粒子が、ポリオレフィン系樹脂１００重量部と、ポリスチレン系樹脂１２０〜５６０重量部とを含む請求項１〜７のいずれか１つに記載の予備発泡粒子の製造方法。
【請求項９】
請求項１〜８のいずれか１つに記載の方法により得られた予備発泡粒子。
【請求項１０】
請求項９に記載の予備発泡粒子を型内成形した発泡成形体。
【発明の詳細な説明】
【技術分野】
【０００１】
本発明は、予備発泡粒子、その製造方法及び発泡成形体に関する。更に詳しくは、本発明は、良好な帯電性防止性を有する予備発泡粒子、その製造方法及び発泡成形体に関する。
【背景技術】
【０００２】
ポリスチレン樹脂粒子にプロパン、ブタン、ペンタン等の揮発性発泡剤を含浸することにより発泡性能が付与された発泡性ポリスチレン樹脂粒子が得られる。発泡性ポリスチレン樹脂粒子は、発泡剤の保持性が良好であり、室温もしくは冷蔵状態で保管できる。従って、適時に発泡性ポリスチレン樹脂粒子を加熱して予備発泡粒子とし、これを成形機の金型内に充填して加熱して発泡成形体とすることができる。この発泡成形体は、断熱性、緩衝性、軽量性に優れていることから、魚箱等の食品容器、家電製品等の緩衝材、建材用断熱材等として広く用いられている。しかし、この発泡成形体は、衝撃等によって割れやすいという問題点があり、用途の拡大には限界があった。
【０００３】
一方、ポリエチレン系樹脂やポリプロピレン系樹脂等のポリオレフィン系樹脂からなる発泡成形体は、ポリスチレン樹脂からなる発泡成形体の特長に加えて、柔軟性があって、割れにくい（耐割れ性に優れる）ことが知られている。しかし、ポリオレフィン系樹脂粒子は発泡剤の保持性に劣ることから、発泡性樹脂粒子の状態で保管することはできないという問題点がある。加えて、発泡成形条件を精密に制御する必要があるため、製造コストが高くつくという問題点もある。
上記問題点を解決するために、水性媒体中でポリエチレン系樹脂粒子にスチレン系モノマーを含浸重合させることで、ポリエチレン系樹脂でポリスチレン系樹脂を改質した発泡性複合樹脂粒子が提案されている（例えば、国際公開２００４−９００２９のパンフレット：特許文献１）。
【０００４】
【特許文献１】国際公開２００４−９００２９のパンフレット
【発明の開示】
【発明が解決しようとする課題】
【０００５】
上記公報は、帯電防止剤を、発泡剤の含浸時に複合樹脂粒子に含浸させている。
上記公報の発泡性複合樹脂粒子でも帯電防止性の十分な発泡成形体を得ることができるが、例えば、電子部品の梱包材等の用途では、更なる帯電防止性の改善、特に１つの発泡成形体中の複数の部位の帯電防止性のばらつきを抑制すること、が望まれていた。
【課題を解決するための手段】
【０００６】
かくして本発明によれば、ポリスチレン系樹脂とポリオレフィン系樹脂とを含む複合樹脂粒子に揮発性発泡剤を含浸させて発泡性複合樹脂粒子を単離した後、得られた発泡性複合樹脂粒子を、予備発泡前に、前記複合樹脂粒子１００重量部に対する使用量が０．１〜２重量部の溶液状又は液状の帯電防止剤と接触させることで、前記発泡性複合樹脂粒子に帯電防止剤を含浸させ、次いで、帯電防止剤の含浸後の発泡性複合樹脂粒子を予備発泡させて予備発泡粒子を得る工程を含むことを特徴とする予備発泡粒子の製造方法が提供される。
また、本発明によれば、上記方法により得られた予備発泡粒子が提供される。
更に、本発明によれば、上記予備発泡粒子を型内成形した発泡成形体が提供される。
【発明の効果】
【０００７】
本発明の予備発泡粒子は、従来の予備発泡粒子より改善された帯電防止性を与える発泡成形体を提供できる。特に、本発明の予備発泡粒子より得られた発泡成形体は、１つの発泡成形体中の複数の部位において、ばらつきが抑制された帯電防止性を有する。
【発明を実施するための最良の形態】
【０００８】
本発明の発明者等は、ポリスチレン系樹脂とポリオレフィン系樹脂とを含む発泡性複合樹脂粒子（以下、発泡性複合樹脂粒子）への帯電防止剤の含浸を、発泡剤の含浸と同時に行うより、発泡剤含浸後かつ予備発泡前に行うほうが、発泡成形体の帯電防止性を改善できるのは以下の理由によると推測している。
即ち、発泡性複合樹脂粒子は、その中にポリオレフィン系樹脂を含んでいるため、ポリスチレンのみからなる樹脂粒子より、揮発性発泡剤の散逸性が高いことが知られている。そのため、発泡剤と同時に帯電防止剤を含浸させると、含浸後から予備発泡までの間に、発泡性複合樹脂粒子から散逸する発泡剤に帯電防止剤が押出され、発泡性複合樹脂粒子の帯電防止剤の保持量が減るものと考えられる。そのため、本発明の発明者等は、帯電防止剤の含浸を発泡剤含浸後かつ予備発泡前に行うことで、発泡性複合樹脂粒子の帯電防止剤の保持量の減少を抑制できるのではないかと考え、実際に実施したところ帯電防止性を改善できたことから、本発明をなすに至った。
【０００９】
以下本発明を工程順に説明する。
（１）まず、ポリスチレン系樹脂とポリオレフィン系樹脂とを含む複合樹脂粒子に揮発性発泡剤を含浸させて発泡性複合樹脂粒子を得る。
ポリオレフィン系樹脂としては、特に限定されず、公知の樹脂が使用できる。また、ポリオレフィン系樹脂は、架橋していてもよい。例えば、分岐状低密度ポリエチレン、直鎖状低密度ポリエチレン、中密度ポリエチレン、高密度ポリエチレン、エチレン−酢酸ビニル共重合体、エチレン−メチルメタクリレート共重合体、これら重合体の架橋体等のポリエチレン系樹脂、プロピレン単独重合体、エチレン−プロピレンランダム共重合体、プロピレン−１−ブテン共重合体、エチレン−プロピレン−ブテンランダム共重合体等のポリプロピレン系樹脂が挙げられる。上記例示中、低密度は、０．９１〜０．９４ｇ／ｃｍ3であることが好ましく、０．９１〜０．９３ｇ／ｃｍ3であることがより好ましい。高密度は、０．９５〜０．９７ｇ／ｃｍ3であることが好ましく、０．９５〜０．９６ｇ／ｃｍ3であることがより好ましい。中密度はこれら低密度と高密度の中間の密度である。
【００１０】
ポリオレフィン系樹脂としては、分岐状低密度ポリエチレン、直鎖状低密度ポリエチレン又はエチレン−酢酸ビニル共重合体であり、ポリスチレン系樹脂は、ポリスチレン、スチレン−アクリル酸アルキルエステル共重合体又はスチレン−メクリル酸アルキルエステル共重合体であることがより好ましい。
ポリスチレン系樹脂としては、ポリスチレン、もしくはスチレン（及び置換スチレン：置換基には、低級アルキル、ハロゲン原子（特に塩素原子）等が含まれる）を主成分とし、スチレンと共重合可能な他のモノマーとの共重合体である。主成分とはスチレンが全モノマーの７０重量％以上を占めることを意味する。置換スチレンとしては、例えば、クロルスチレン類、ｐ−メチルスチレン等のビニルトルエン類、α−メチルスチレン等が挙げられる。他のモノマーとしては、α−メチルスチレン、ｐ−メチルスチレン、アクリロニトリル、メタクリロニトリル、アクリル酸、メタクリル酸、アクリル酸アルキルエステル（アルキル部分の炭素数１〜８程度）、メタクリル酸アルキルエステル（アルキル部分の炭素数１〜８程度）、ジビニルベンゼン、エチレングリコールのモノないしジアクリル酸ないしメタクリル酸エステル、無水マレイン酸、Ｎ−フェニルマレイド等）ポリエチレングリコールジメタクリレート等が例示される。
【００１１】
ポリスチレン系樹脂は、複合樹脂粒子中に、ポリオレフィン系樹脂１００重量部に対して１２０〜５６０重量部の範囲で含まれることが好ましい。
ポリスチレン系樹脂の含有量が５６０重量部より多いと、発泡成形体の耐割れ性が低下することがある。一方、１２０重量部より少ないと、耐割れ性は大幅に向上するが、発泡性複合樹脂粒子の表面からの発泡剤の逸散が速くなる傾向がある。そのため、発泡剤の保持性が低下することによって発泡性複合樹脂粒子のビーズライフが短くなることがある。より好ましいポリスチレン系樹脂の含有量は１４０〜４５０重量部、更に好ましい含有量は１５０〜４００重量部である。
【００１２】
複合樹脂粒子の平均粒子径は、８００〜２４００μｍであることが好ましい。８００μｍを下回る平均粒子径の複合樹脂粒子は、発泡剤の保持性が低下してビーズライフが短くなる傾向がある。２４００μｍを越えると、複雑な形状をした発泡成形体を成形する際、金型への充填性が悪くなる傾向がある。好ましい平均粒子径は、１２００〜２０００μｍである。
【００１３】
揮発性発泡剤としては、公知の種々の発泡剤が使用できる。例えば、プロパン、ｎ−ブタン、イソブタン、ｎ−ペンタン、イソペンタン、工業用ペンタン、石油エーテル、シクロヘキサン、シクロペンタン等の単独又は混合物が挙げられる。これらの内、プロパン、ｎ−ブタン、イソブタン、ｎ−ペンタン、イソペンタン、シクロペンタンが好ましい。
発泡剤の含有割合としては、発泡性複合樹脂粒子に対して、７．５〜１１重量％であることが好ましい。発泡剤の含有割合が７．５重量％未満であると、発泡性複合樹脂粒子の発泡性が低下することがある。発泡性が低下すると、嵩倍数の高い低嵩密度の予備発泡粒子が得られ難くなると共に、この予備発泡粒子を型内成形して得られる発泡成形体は融着率が低下し、耐割れ性が低下することがある。一方、１１重量％を超えると、予備発泡粒子中の気泡サイズが過大となり易く、成形性の低下や、得られる発泡成形体の圧縮、曲げ等の強度特性の低下が発生することがある。より好ましい発泡剤の含有割合は、８．０〜１０．５重量％の範囲である。
【００１４】
複合樹脂粒子は、例えば、ポリオレフィン系樹脂粒子中にスチレン系モノマーを含浸重合してポリスチレン系樹脂を生成させることで得ることができる。
ポリオレフィン系樹脂粒子は、公知の方法で得ることができる。例えば、まず、押出機を使用してポリオレフィン系樹脂を溶融押出した後、水中カット、ストランドカット等により造粒することで、ポリオレフィン系樹脂粒子を作製できる。通常、使用するポリオレフィン系樹脂の形状は、例えば、真球状、楕円球状（卵状）、円柱状、角柱状、ペレット状又はグラニュラー状である。以下では、ポリオレフィン系樹脂粒子をマイクロペレットとも記す。
【００１５】
ポリオレフィン系樹脂には、ラジカル補足剤が含まれていてもよい。ラジカル捕捉剤は、予めポリオレフィン系樹脂に添加しておくか、もしくは溶融押出と同時に添加してもよい。ラジカル補足剤としては、重合禁止剤（重合抑制剤を含む）、連鎖移動剤、酸化防止剤、ヒンダードアミン系光安定剤等のラジカルを捕捉する作用を有する化合物で、水に溶解し難いものが好ましい。
【００１６】
重合禁止剤としは、ｔ−ブチルハイドロキノン、パラメトキシフェノール、２，４−ジニトロフェノール、ｔ−ブチルカテコール、ｓｅｃ−プロピルカテコール、Ｎ−メチル−Ｎ−ニトロソアニリン、Ｎ−ニトロソフェニルヒドロキシルアミン、トリフェニルフォスファイト、トリス（ノニルフェニルフォスファイト）、トリエチルフォスファイト、トリス（２−エチルヘキシル）フォスファイト、トリデシルフォスファイト、トリス（トリデシル）フォスファイト、ジフェニルモノ（２−エチルヘキシル）フォスファイト、ジフェニルモノデシルフォスファイト、ジフェニルモノ（トリデシル）フォスファイト、ジラウリルハイドロゲンフォスファイト、テトラフェニルジプロピレングリコールジフォスファイト、テトラフェニルテトラ（トリデシル）ペンタエリスリトールテトラフォスファイト等のフェノール系重合禁止剤、ニトロソ系重合禁止剤、芳香族アミン系重合禁止剤、亜リン酸エステル系重合禁止剤、チオエーテル系重合禁止剤等が例示される。
また、連鎖移動剤としては、β−メルカプトプロピオン酸２−エチルヘキシルエステル、ジペンタエリスリトールヘキサキス（３−メルカプトプロピオネート）、トリス［（３−メルカプトプロピオニロキシ）−エチル］イソシアヌレート等が例示される。
【００１７】
酸化防止剤としては、２，６−ジ−ｔ−ブチル−４−メチルフェノール（ＢＨＴ）、ｎ−オクタデシル−３−（３，５−ジ−ｔ−ブチル−４−ヒドロキシフェニル）プロピオネート、ペンタエリスリチル−テトラキス〔３−（３，５−ジ−ｔ−ブチル−４−ヒドロキシフェニル）プロピオネート〕、１，３，５−トリス（３，５−ジ−ｔｅｒｔ−ブチル−４−ヒドロキシベンジル）イソシアヌレート、１，３，５−トリメチル−２，４、６−トリス（３，５−ジ−ｔ−ブチル−４−ヒドロキシベンジル）ベンゼン、３、９−ビス〔２−｛３−（３−ｔ−ブチル−４−ヒドロキシ−５−メチルフェニル）プロピオニルオキシ｝−１、１−ジメチルエチル〕−２，４，８，１０−テトラオキサスピロ〔５・５〕ウンデカン、ジステアリルペンタエリスリトールジフォスファイト、トリス（２，４−ジ−ｔ−ブチルフェニル）フォスファイト、ビス（２，４−ジ−ｔ−ブチルフェニル）ペンタエリスリトールジフォスファイト、テトラキス（２，４−ジ−ｔ−ブチルフェニル）４、４’−ビフェニレンジフォスフォナイト、ビス（２−ｔ−ブチル−４−メチルフェニル）ペンタエリスリトールジフォスファイト、２，４，８，１０−テトラ−ｔ−ブチル−６−［３−（３−メチル−４−ヒドロキシ−５−ｔ−ブチルフェニル）プロポキシ］ジベンゾ［ｄ、ｆ］［１，３，２］ジオキサホスフェピン、フェニル−１−ナフチルアミン、オクチル化ジフェニルアミン、４，４−ビス（α，α−ジメチルベンジル）ジフェニルアミン、Ｎ，Ｎ’−ジ−２−ナフチル−ｐ−フェニレンジアミン等のフェノール系酸化防止剤、リン系酸化防止剤、アミン系酸化防止剤等が例示できる。
【００１８】
ヒンダードアミン系光安定剤としては、ビス（２，２，６，６−テトラメチル−４−ピペリジル）セバケート、ビス（１，２，２，６，６−ペンタメチル−４−ピペリジル）セバケート、ビス（１，２，２，６，６−ペンタメチル−４−ピペリジル）−２−（３，５−ジ−ｔ−ブチル−４−ヒドロキシベンジル）−２−ｎ−ブチルマロネート等が例示できる。
ラジカル補足剤の使用量としては、ポリオレフィン系樹脂１００重量部に対して０．００５〜０．５重量部であることが好ましい。
【００１９】
ポリオレフィン系樹脂は、他に、タルク、珪酸カルシウム、ステアリン酸カルシウム、合成あるいは天然に産出される二酸化ケイ素、エチレンビスステアリン酸アミド、メタクリル酸エステル系共重合体等の気泡調整剤、ヘキサブロモシクロドデカン、トリアリルイソシアヌレート６臭素化物等の難燃剤、カーボンブラック、酸化鉄、グラファイト等の着色剤等を含んでいてもよい。
【００２０】
次に、マイクロペレットを重合容器内の水性媒体中に分散させ、スチレン系モノマーをマイクロペレットに含浸させながら重合させる。なお、マイクロペレットに水溶性の樹脂成分（例えば、ポリ酢酸ビニル）が含まれる場合は、その量は少なめにしてもよい。
水性媒体としては、水、水と水溶性溶媒（例えば、アルコール）との混合媒体が挙げられる。スチレン系モノマーには、トルエン、キシレン、シクロヘキサン、酢酸エチル、フタル酸ジオクチル、テトラクロルエチレン等の溶剤（可塑剤）を添加してもよい。
【００２１】
好ましいスチレン系モノマーの使用量は、ポリオレフィン系樹脂粒子１００重量部に対して１２０〜５６０重量部である。より好ましくは１４０〜４５０重量部、更に好ましくは１５０〜４００重量部である。
スチレン系モノマーの使用量が５６０重量部を超えると、ポリオレフィン系樹脂粒子に含浸されずに、ポリスチレン系樹脂単独の粒子が発生することがある。加えて、発泡成形体の耐割れ性が低下するだけでなく、耐薬品性も低下することがある。一方、１２０重量部未満であると、発泡性複合樹脂粒子の発泡剤を保持する能力が低下する場合がある。低下すると、高発泡化が困難となる。また、発泡成形体の剛性も低下することがある。
【００２２】
ポリオレフィン系樹脂粒子へのスチレン系モノマーの含浸は、重合させつつ行ってもよく、重合を開始する前に行ってもよい。この内、重合させつつ行うことが好ましい。なお、含浸させた後に重合を行う場合、ポリオレフィン系樹脂粒子の表面近傍でのスチレン系モノマーの重合が起こり易く、また、ポリオレフィン系樹脂粒子中に含浸されなかったスチレン系モノマーが単独で重合して、多量の微粒子状のポリスチレン系樹脂粒子が生成する場合がある。
重合させつつ含浸を行う場合、上記含有量を算出する場合のポリオレフィン系樹脂粒子とは、ポリオレフィン系樹脂と含浸されたスチレン系モノマー、更に含浸されて既に重合したポリスチレン系樹脂とから構成された粒子を意味する。
含有割合を０〜３５重量％に維持するために、スチレン系モノマーを重合容器内の水性媒体に連続的にあるいは断続的に添加できる。特に、スチレン系モノマーを水性媒体中に徐々に添加していくのが好ましい
【００２３】
スチレン系モノマーの重合には、油溶性のラジカル重合開始剤を使用できる。この重合開始剤としては、スチレン系モノマーの重合に汎用されている重合開始剤を使用できる。例えば、ベンゾイルパーオキサイド、ラウロイルパーオキサイド、ｔ−ブチルパーオキシオクトエート、ｔ−ヘキシルパーオキシオクトエート、ｔ−ブチルパーオキシベンゾエート、ｔ−アミルパーオキシベンゾエート、ｔ−ブチルパーオキシビバレート、ｔ−ブチルパーオキシイソプロピルカーボネート、ｔ−ヘキシルパーオキシイソプロピルカーボネート、ｔ−ブチルパーオキシ−３，３，５−トリメチルシクロヘキサノエート、ジ−ｔ−ブチルパーオキシヘキサハイドロテレフタレート、２，２−ジ−ｔ−ブチルパーオキシブタン、ジ−ｔ−ヘキシルパーオキサイド、ジクミルパーオキサイド等の有機過酸化物、アゾビスイソブチロニトリル、アゾビスジメチルバレロニトリル等のアゾ化合物が挙げられる。なお、これら油溶性のラジカル重合開始剤は、単独で用いられても併用されてもよい。
【００２４】
重合開始剤を重合容器内の水性媒体に添加する方法としては、種々の方法が挙げられる。例えば、
（ａ）重合容器とは別の容器内でスチレン系モノマーに重合開始剤を溶解して含有させ、このスチレン系モノマーを重合容器内に供給する方法、
（ｂ）重合開始剤をスチレン系モノマーの一部、イソパラフィン等の溶剤又は可塑剤に溶解させて溶液を作製する。この溶液と、所定量のスチレン系モノマーとを重合容器内に同時に供給する方法、
（ｃ）重合開始剤を水性媒体に分散させた分散液を作製する。この分散液とスチレン系モノマーとを重合容器内に供給する方法
等が挙げられる。
上記重合開始剤の使用割合は、通常スチレン系モノマーの使用総量の０．０２〜２．０重量％添加することが好ましい。
【００２５】
水性媒体中には、水溶性のラジカル重合禁止剤を溶解させておくことが好ましい。水溶性のラジカル重合禁止剤はポリオレフィン系樹脂粒子表面におけるスチレン系モノマーの重合を抑制するだけでなく、水性媒体中に浮遊するスチレン系モノマーが単独で重合するのを防止して、ポリスチレン系樹脂の微粒子の生成を減らすことができるからである。
水溶性のラジカル重合禁止剤としては、水１００ｇに対して１ｇ以上溶解する重合禁止剤が使用でき、例えば、チオシアン酸アンモニウム、チオシアン酸亜鉛、チオシアン酸ナトリウム、チオシアン酸カリウム、チオシアン酸アルミニウム等のチオシアン酸塩、亜硝酸ナトリウム、亜硝酸カリウム、亜硝酸アンモニウム、亜硝酸カルシウム、亜硝酸銀、亜硝酸ストロンチウム、亜硝酸セシウム、亜硝酸バリウム、亜硝酸マグネシウム、亜硝酸リチウム、亜硝酸ジシクロヘキシルアンモニウム等の亜硝酸塩、メルカプトエタノール、モノチオプロピレングリコール、チオグリセロール、チオグリコール酸、チオヒドロアクリル酸、チオ乳酸、チオリンゴ酸、チオエタノールアミン、１，２−ジチオグリセロール、１，３−ジチオグリセロール等の水溶性イオウ含有有機化合物、さらにアスコルビン酸、アスコルビン酸ソーダ等を挙げることができる。これらの中でも特に亜硝酸塩が好ましい。
上記水溶性のラジカル重合禁止剤の使用量としては、水性媒体の水１００重量部に対して０．００１〜０．０４重量部が好ましい。
【００２６】
なお、上記水性媒体中に分散剤を添加しておくことが好ましい。このような分散剤としては、例えば、部分ケン化ポリビニルアルコール、ポリアクリル酸塩、ポリビニルピロリドン、カルボキシメチルセルロース、メチルセルロース等の有機系分散剤、ピロリン酸マグネシウム、ピロリン酸カルシウム、リン酸カルシウム、炭酸カルシウム、リン酸マグネシウム、炭酸マグネシウム、酸化マグネシウム等の無機系分散剤が挙げられる。この内、無機系分散剤が好ましい。
無機系分散剤を用いる場合には、界面活性剤を併用することが好ましい。このような界面活性剤としては、例えば、ドデシルベンゼンスルホン酸ソーダ、α−オレフィンスルホン酸ソーダ等が挙げられる。
【００２７】
重合容器の形状及び構造としては、従来からスチレン系モノマーの懸濁重合に用いられているものであれば、特に限定されない。
また、攪拌翼の形状についても特に限定はなく、具体的には、Ｖ型パドル翼、ファードラー翼、傾斜パドル翼、平パドル翼、プルマージン翼等のパドル翼、タービン翼、ファンタービン翼等のタービン翼、マリンプロペラ翼のようなプロペラ翼等が挙げられる。これら攪拌翼の内では、パドル翼が好ましい。攪拌翼は、単段翼であっても多段翼であってもよい。重合容器に邪魔板（バッフル）を設けてもよい。
【００２８】
また、スチレン系モノマーをマイクロペレット中にて重合させる際の水性媒体の温度は、特に限定されないが、使用するポリオレフィン系樹脂の融点の−３０〜＋２０℃の範囲であることが好ましい。より具体的には、７０〜１４０℃が好ましく、８０〜１３０℃がより好ましい。更に、水性媒体の温度は、スチレン系モノマーの重合開始から終了までの間、一定温度であってもよいし、段階的に上昇させてもよい。水性媒体の温度を上昇させる場合には、０．１〜２℃／分の昇温速度で上昇させることが好ましい。
更に、架橋したポリオレフィン系樹脂からなる粒子を使用する場合、架橋は、スチレン系モノマーを含浸させる前に予め行なっておいてもよいし、マイクロペレット中にスチレン系モノマーを含浸、重合させている間に行なってもよいし、マイクロペレット中にスチレン系モノマーを含浸、重合させた後に行なってもよい。
【００２９】
ポリオレフィン系樹脂の架橋に用いられる架橋剤としては、例えば、２，２−ジ−ｔ−ブチルパーオキシブタン、ジクミルパーオキサイド、２，５−ジメチル−２，５−ジ−ｔ−ブチルパーオキシヘキサン等の有機過酸化物が挙げられる。なお、架橋剤は、単独でも二種以上併用してもよい。また、架橋剤の使用量は、通常、ポリオレフィン系樹脂粒子（マイクロペレット）１００重量部に対して０．０５〜１．０重量部が好ましい。
架橋剤を添加する方法としては、例えば、架橋剤をポリオレフィン系樹脂に直接添加する方法、溶剤、可塑剤又はスチレン系モノマーに架橋剤を溶解させた上で添加する方法、架橋剤を水に分散させた上で添加する方法等が挙げられる。この内、スチレン系モノマーに架橋剤を溶解させた上で添加する方法が好ましい。
【００３０】
上記スチレン系モノマーの含浸及び重合終了後の複合樹脂粒子に、発泡剤を含浸させることで発泡性複合樹脂粒子と得ることができる。発泡剤の含浸は、それ自体公知の方法により行うことができる。例えば、重合中での含浸は、重合反応を密閉式の容器中で行い、容器中に発泡剤を圧入することにより行うことができる。重合終了後の含浸は、密閉式の容器中で、発泡剤を圧入することにより行われる。
【００３１】
（２）次に、揮発性発泡剤を含浸させた発泡性複合樹脂粒子を単離した後、得られた発泡性複合樹脂粒子に特定量の帯電防止剤を含浸させる。
帯電防止剤としては、特に限定されず、公知の帯電防止剤をいずれも使用できる。例えば、帯電防止性を有する界面活性剤が挙げられる。具体的な界面活性剤としては、アルキルモノエタノールアミン、アルキルポリエーテルアミン、ポリエチレングリコール脂肪酸エステル、アルキルジエタノールアミド、アルキルジエタノールアミン、ポリアルキレングリコール誘導体等の非イオン系界面活性剤、アルキルスルホン酸塩、アルキルベンゼンスルホン酸塩、アルキルホスフェート等のアニオン系界面活性剤、脂肪族アルキル第４級アンモニウム塩、トリアルキルベンジルアンモニウム塩等のカチオン系界面活性剤、アルキルベタイン、アルキルイミダゾリウムベタイン等の両性界面活性剤等を挙げることができる。なお、界面活性剤の種類により異なるが、全炭素数が５〜２０個の範囲の界面活性剤を帯電防止剤として使用することが好ましい。
【００３２】
帯電防止剤は、溶液状又は液状で発泡性複合樹脂粒子と接触させることができる。溶液状とは、固体又は液体の帯電防止剤を水性媒体に溶解又は分散させた状態を意味し、液状とは、帯電防止剤自身が液体であることを意味する。
この中でも、非イオン性界面活性剤が好ましく、更に、アルキルモノ又はジエタノールアミン、アルキルポリエーテルアミンが、帯電防止性が良好である観点から好ましい。ここで、アルキルは炭素数８〜１８が好ましい。特に、１０〜３０℃の温度で液状である帯電防止剤は、水性媒体に溶解させなくても、短時間で発泡性複合樹脂粒子に帯電防止剤を含浸できるという点で好ましい。このような帯電防止剤として、Ｎ−ヒドロキシエチルラウリルアミン、ポリオキシエチレンラウリルアミン（ポリオキシエチレンは、オキシエチレン単位数が２〜１０の範囲が好ましい）が挙げられる。
【００３３】
帯電防止剤の使用量は、発泡性複合樹脂粒子１００重量部に対して、０．１〜２．０重量部であり、好ましくは０．５〜１．５重量部である。０．１重量部未満の場合、発泡成形体に所望の帯電防止性を付与できないことがある。また、２．０重量部を超えると発泡性複合樹脂粒子及び予備発泡粒子がべとつくため、取り扱いが困難となることがある。更に、予備発泡粒子の成形金型への充填が困難となり、また得られる発泡成形体がべとつき、かえって埃が付着し易くなることがある。
帯電防止剤の含浸は、３０〜９０℃の雰囲気温度下で、５〜９０秒間行うことが好ましい。これら温度及び時間の範囲外では、帯電防止性の不足や、生産性の低下、発泡性複合樹脂粒子等のべとつきが生じることがある。なお、帯電防止剤の含浸は、必要に応じて加圧下で行ってもよい。
【００３４】
なお、発泡性複合樹脂粒子への帯電防止剤の含浸は、発泡性複合樹脂粒子から揮発性発泡剤の散逸が比較的早いことを考慮して、予備発泡に使用される容器中で、溶液状又は液状の帯電防止剤を発泡性複合樹脂粒子に噴霧するか、溶液状又は液状の帯電防止剤に発泡性複合樹脂粒子を浸漬することで行うことが好ましい。噴霧する場合、容器に対する噴霧位置は、特に限定されない。但し、発泡性複合樹脂粒子にできるだけ近い位置であることが、容器や攪拌羽根に帯電防止剤が付着することを防止でき、効率よく帯電防止剤を発泡性樹脂粒子と接触させることができるので好ましい。ここで、近い位置は、発泡性樹脂粒子の上面から８０ｃｍ以下の位置であることがより好ましい。
【００３５】
（３）更に、帯電防止剤の含浸後の発泡性複合樹脂粒子を予備発泡させて予備発泡粒子を得る。
帯電防止剤が含浸された発泡性複合樹脂粒子を、必要に応じて、水蒸気等の加熱媒体を用いて加熱して所定の嵩密度に予備発泡させることで、予備発泡粒子を得ることができる。
予備発泡粒子は、嵩倍数５〜６０倍（嵩密度０．０１６〜０．２ｇ／ｃｍ3）を有していることが好ましい。より好ましい嵩倍数は１０〜５５倍である。嵩倍数が６０倍より大きいと、発泡粒子の独立気泡率が低下して、予備発泡粒子を発泡させて得られる発泡成形体の強度が低下することがある。一方、５倍より小さいと、予備発泡粒子を発泡させて得られる発泡成形体の重量が増加することがある。
【００３６】
（４）発泡成形体の製造方法
上記予備発泡粒子を成形機の型内に充填し、加熱して二次発泡させ、予備発泡粒子同士を融着一体化させることによって所望形状を有する発泡成形体を得ることができる。上記成形機としては、ポリスチレン系樹脂予備発泡粒子から発泡成形体を製造する際に用いられるＥＰＳ成形機等を用いることができる。
得られた発泡成形体は、良好な帯電防止性を有する。そのため、発泡成形体は、家電製品等の緩衝材（クッション材）、電子部品、各種工業資材、食品等の搬送容器（梱包材）等の用途に使用できる。また、車輛用バンパーの芯材、ドア内装緩衝材等の衝撃エネルギー吸収材としても使用できる。
【実施例】
【００３７】
以下実施例を挙げて更に説明するが、本発明はこれら実施例によって限定されるものではない。
＜予備発泡粒子の嵩倍数＞
約５ｇの予備発泡粒子の重量（ａ）を小数以下２位で秤量する。次に、最小メモリ単位が５ｃｍ3である５００ｃｍ3メスシリンダーに秤量した予備発泡粒子を入れ、これにメスシリンダーの口径よりやや小さい円形の樹脂板であって、その中心に巾約１．５ｃｍ、長さ約３０ｃｍの棒状の樹脂板が直立して固定された押圧具をあてて、予備発泡粒子の体積（ｂ）を読み取り、式（ａ）／（ｂ）により予備発泡粒子の嵩密度（ｇ／ｃｍ3）を求める。嵩倍数は嵩密度の逆数、すなわち式（ｂ）／（ａ）とする。
【００３８】
＜発泡成形体の倍数＞
発泡成形体（成形後、４０℃で２０時間以上乾燥させたもの）から切り出した試験片（例７５×３００×３５ｍｍ）の重量（ａ）と体積（ｂ）をそれぞれ有効数字３桁以上になるように測定し、式（ａ）／（ｂ）により発泡成形体の密度（ｇ／ｃｍ3）を求める。倍数は密度の逆数、すなわち式（ｂ）／（ａ）とする。
【００３９】
＜平均表面抵抗率＞
ＪＩＳ  Ｋ６９１１：１９９５「熱硬化性プラスチック一般試験方法」に記載の方法により測定する。即ち、試験装置（アドバンテスト社製デジタル長高抵抗／微小電流計Ｒ８３４０及びレジスティビティ・チェンバＲ１２７０２Ａ）と使用し、試料サンプルに、約３０Ｎの荷重で電極を圧着させ、５００Ｖ１分間充電後の抵抗値を測定する。測定値から次式より表面抵抗率を算出する。
ρｓ＝π（Ｄ＋ｄ）／（Ｄ−ｄ）×Ｒｓ
ρｓ：表面抵抗率（ＭΩ）
Ｄ：表面の環状電極の内径（ｃｍ）
ｄ：表面電極の内円の外形（ｃｍ）
Ｒｓ：表面抵抗（ＭΩ）
試料サンプルは、１００ｍｍ×１００ｍｍ×厚さ１０ｍｍ以下の大きさを有し、同一の発泡成形体から１０個切り出す。切り出された１０個の試料サンプルを、２０℃、湿度６５％の環境下に２４時間程度保存した後、１０個の試料サンプルの抵抗値を測定する。平均表面抵抗率は、１０個の表面抵抗率の平均値である。
【００４０】
＜標準偏差＞
１０個の表面抵抗率をそれぞれ対数（１ｏｇ10）で返し、得られた対数を用いて標準偏差を得る。
＜帯電防止性の評価＞
平均表面抵抗率が１０12未満かつ標準偏差が１．０以下の場合、表面抵抗率のばらつきが少なく良品（○）であると評価する。
【００４１】
実施例１
（複合樹脂粒子の製造）
エチレン−酢酸ビニル共重合体樹脂粒子（日本ポリエチレン社製ＬＶ−２１１、メルトフローレート０．３ｇ／１０分、酢酸ビニル含量６．２重量％）１００重量部に、気泡調整剤としての珪酸カルシウム０．３重量部とステアリン酸カルシウム０．１重量部とを加えて、押出機にて均一に混練し、水中カット方式により造粒ペレットを得た（エチレン−酢酸ビニル共重合体樹脂粒子は１００粒あたり８０ｍｇに調整した）。
内容積１００リットルの攪拌機付き耐圧容器に、上記ペレット４０重量部、純水１２０重量部、ピロリン酸マグネシウム０．４５重量部、ドデシルベンゼンスルホン酸ソーダ０．０２重量部を加え、攪拌して純水中に懸濁させた。
次いで、この懸濁液に、ラジカル重合開始剤としてジクミルパーオキサイド０．０３重量部を２０重量部のスチレンモノマーに溶解させた混合液を３０分かけて滴下した。滴下後３０分間保持した後、反応系の温度を１３５℃まで上昇させ、２時間保持した後、常温まで冷却した。
【００４２】
更に、この懸濁液に、ドデシルベンゼンスルホン酸ソーダ０．１６重量部を加えた後、反応系の温度を９０℃まで昇温し、ラジカル重合開始剤として、ベンゾイルパーオキサイド０．３重量部及びｔ−ブチルパーオキシベンゾエート０．０２重量部、ジクミルパーオキサイド０．８重量部を４０重量部のスチレンモノマーに溶解させた混合液を２時間かけて滴下し、スチレンモノマーを吸収させながら重合を行った。その後、９０℃で３時間保持した後、１３５℃に昇温させ、その温度で３時間保持して重合を完結させた。上記一連の重合を完結させた後、常温まで冷却し、複合樹脂粒子を得た。
【００４３】
（発泡性複合樹脂粒子の製造）
内容積５０リットルの耐圧で密閉可能なＶ型ブレンダーに、複合樹脂粒子１００重量部とジイソブチルアジペート０．５重量部とを投入し、密閉し、攪拌しながらブタン１４重量部を圧入した。そして、ブレンダー内の温度を６０℃で４時間維持した後、２５℃まで冷却して発泡性複合樹脂粒子を取り出した。
（帯電防止剤の含浸）
上記発泡性複合樹脂粒子１００重量部をバッチ式発泡機（積水工機製作所社製ＳＫＫ−７０）に投入し、帯電防止剤としてのポリオキシエチレンアルキルアミン（日油社製エレガンＳ−１００：オキシエチレン単位の繰り返し数約１〜４：アルキルの炭素数は約１０〜１４）０．３重量部を攪拌しながら３０秒間かけて添加し、６０℃で３０秒間攪拌を維持した。帯電防止剤の添加位置は、バッチ式発泡機の上面（投入した発泡性樹脂粒子の上面の約８０ｃｍ上部）とした。
【００４４】
（予備発泡粒子の製造）
添加後、攪拌しながら約０．０５ＭＰａの設定でスチームを導入しつつ、加熱を開始し、発泡性複合樹脂粒子を嵩倍数１５倍を狙って予備発泡させることで、嵩倍数約１５倍の予備発泡粒子を得た。
（発泡成形体の製造）
得られた予備発泡粒子を、４００ｍｍ（長さ）×３００ｍｍ（幅）×３０ｍｍ（厚さ）の大きさの成形用金型内に入れた。この金型に、０．０６ＭＰａの水蒸気を２５秒間導入して加熱し、１２０秒間冷却することで、倍数約１５倍の発泡成形体を取り出した。得られた発泡成形体を４０℃の乾燥室で、８時間程度乾燥させた。
得られた発泡成形体の平均表面抵抗率と標準偏差を求め、得られた結果を帯電性の評価と共に表１に示す。
【００４５】
実施例２
帯電防止剤の添加量を０．９重量部とすること以外は実施例１と同様に発泡成形体を得た。
得られた発泡成形体の平均表面抵抗率と標準偏差を求め、得られた結果を帯電性の評価と共に表１に示す。
実施例３
帯電防止剤の添加量を１．５重量部とすること以外は実施例１と同様に発泡成形体を得た。
得られた発泡成形体の平均表面抵抗率と標準偏差を求め、得られた結果を帯電性の評価と共に表１に示す。
【００４６】
実施例４
ポリプロピレン系樹脂（プライムポリマー社製Ｆ−７４４ＮＰ）を押出機に供給し、溶融混練し、ストランドカット方式により造粒ペレットを得た（ポリプロピレン系樹脂粒子は１００粒あたり８０ｍｇに調整した）。
内容積１００リットルの攪拌機付き耐圧容器に、上記ペレット４０重量部、純水１２０重量部、ピロリン酸マグネシウム１重量部、ドデシルベンゼンスルホン酸ソーダ０．０３重量部を加え、攪拌して純水中に懸濁させた。得られた懸濁液を、攪拌しながら、１０分間保持した。
次いで、この懸濁液に、ラジカル重合開始剤としてジクミルパーオキサイド０．０４重量部を２０重量部のスチレンモノマーに溶解させた混合液を３０分かけて滴下した。滴下後３０分間保持し、ポリエチレン系樹脂粒子にスチレンモノマーを吸収させ、反応系の温度を１３５℃に上げた後、２時間保持することでスチレンモノマーを重合させた。
【００４７】
更に、この懸濁液に、ドデシルベンゼンスルホン酸ソーダ０．０８重量部を加えた後、ラジカル重合開始剤としてジクミルパーオキサイド０．１８重量部を４０重量部のスチレンモノマーに溶解させた混合液を４時間かけて滴下し、スチレンモノマーをポリエチレン系樹脂粒子に吸収させながら重合を行った。その後、１２０℃に昇温し、その温度で１時間保持し、次いで１４０℃に昇温し、その温度で３時間保持して重合を完結させた。その後、常温まで冷却し、複合樹脂粒子を取り出した。
以降、実施例２と同様にして、発泡性複合樹脂粒子、予備発泡粒子及び発泡成形体を得た。
得られた発泡成形体の平均表面抵抗率と標準偏差を求め、得られた結果を帯電性の評価と共に表１に示す。
【００４８】
実施例５
帯電防止剤の添加位置を投入した発泡性樹脂粒子の上面の約２０ｃｍ上部から、容器や攪拌羽根に付着しないように添加したこと以外は実施例２と同様にして発泡成形体を得た。
得られた発泡成形体の平均表面抵抗率と標準偏差を求め、得られた結果を帯電性の評価と共に表１に示す。
実施例６
帯電防止剤をＮ−ヒドロキシエチルラウリルアミン（日油社製ナイミーンＬ２０１）に代えたこと以外は実施例２と同様にして発泡成形体を得た。
得られた発泡成形体の平均表面抵抗率と標準偏差を求め、得られた結果を帯電性の評価と共に表１に示す。
【００４９】
比較例１
帯電防止剤の添加量を０．０５重量部とすること以外は実施例１と同様に発泡成形体を得た。
得られた発泡成形体の平均表面抵抗率と標準偏差を求め、得られた結果を帯電性の評価と共に表１に示す。
【００５０】
比較例２
発泡剤含浸後、予備発泡前に帯電防止剤の含浸を行わず、以下のように発泡剤含浸時に帯電防止剤を含浸させること以外は実施例１と同様にして発泡成形体を得た。
内容積５０リットルの耐圧で密閉可能なＶ型ブレンダーに、複合樹脂粒子１００重量部、ジイソブチルアジペート０．５重量部、ポリオキシエチレンアルキルアミン（日油社製エレガンＳ−１００）０．３重量部を投入し、密閉し、攪拌しながらブタン１４重量部を圧入した。そして、ブレンダー内の温度を６０℃で４時間維持した後、２５℃まで冷却して発泡性複合樹脂粒子を取り出した。
得られた発泡成形体の平均表面抵抗率と標準偏差を求め、得られた結果を帯電性の評価と共に表１に示す。
【００５１】
比較例３
帯電防止剤の添加量を１．５重量部としたこと以外は比較例２と同様にして発泡成形体を得た。
【００５２】
【表１】
2010121085.tif 000002
【００５３】
表１から、実施例では、帯電防止剤を揮発性発泡剤の含浸後かつ予備発泡前に添加することで、揮発性発泡剤含浸時に添加する比較例２及び３と比べて、平均表面抵抗率が低く、かつ表面抵抗率のバラツキを示す標準偏差が低い発泡成形体を得られることが分かる。
実施例と比較例１とから、帯電防止剤の使用量が０．１〜２重量部であることで、平均表面抵抗率が低く、かつ表面抵抗率のバラツキを示す標準偏差が低い発泡成形体を得られることが分かる。
以上から、実施例では、優れた帯電防止性を有しかつ、帯電防止性のばらつきも小さな発泡成形体が得られる。